(57)【要約】【課題】袋に収容した携帯端末を操作するときなどにおいて、袋の余り部分が邪魔になるのを抑えることを目的とする。【解決手段】収容袋保持部材１は、第１部材４と、当該第１部材４に対して所定方向にスライド可能に支持される第２部材５を備える。第１部材４は、携帯端末（携帯電話２）を収容袋３を介して支持する支持面４１ａと、支持面４１ａから第１部材４の第２部材５側に回り込んだ収容袋３の両端部が配置される一対の第１スライド面４２ａと、を有する。第２部材５は、一対の第１スライド面４２ａに対して収容袋３の両端部を介してスライド可能で、かつ、一対の第１スライド面４２ａとの間で収容袋３の両端部を挟み込んで保持する一対の第２スライド面５２ａを有する。【選択図】図２
2016077394.tif 000002
【特許請求の範囲】
【請求項１】
携帯端末が収容された収容袋を保持する収容袋保持部材であって、
第１部材と、当該第１部材に対して所定方向にスライド可能に支持される第２部材を備え、
前記第１部材は、前記携帯端末を前記収容袋を介して支持する支持面と、前記支持面から前記第１部材の前記第２部材側に回り込んだ前記収容袋の両端部が配置される一対の第１スライド面と、を有し、
前記第２部材は、前記一対の第１スライド面に対して前記収容袋の両端部を介してスライド可能で、かつ、前記一対の第１スライド面との間で前記収容袋の両端部を挟み込んで保持する一対の第２スライド面を有することを特徴とする収容袋保持部材。
【請求項２】
前記第１部材は、前記収容袋に接触して、当該収容袋が前記第１部材に対して滑るのを抑える滑り止め部材を有することを特徴とする請求項１に記載の収容袋保持部材。
【請求項３】
前記第１部材は、前記支持面を有するベース部と、当該ベース部の両端から前記支持面とは反対側において互いに近づくように延びる一対の延出部とを有し、
前記一対の延出部は、それぞれ前記ベース部側に前記支持面に対して傾斜した前記第１スライド面を有し、前記第２部材を挟み込んで保持することを特徴とする請求項２に記載の収容袋保持部材。
【請求項４】
前記第１部材は、前記第２部材に前記所定方向において係合する第１係合部を有することを特徴とする請求項１から請求項３のいずれか１項に記載の収容袋保持部材。
【請求項５】
前記第２部材は、前記第１部材に前記所定方向において係合する第２係合部を有することを特徴とする請求項１から請求項４のいずれか１項に記載の収容袋保持部材。
【請求項６】
前記第２部材は、収容袋保持部材を当該収容袋保持部材とは別の部材に取り付けるための取付部を有することを特徴とする請求項１から請求項５のいずれか１項に記載の収容袋保持部材。
【請求項７】
前記第２部材に設けられ、断面視円弧状に凹む凹部を有する補助部材をさらに備えたことを特徴とする請求項６に記載の収容袋保持部材。
【発明の詳細な説明】
【技術分野】
【０００１】
本発明は、携帯端末が収容された収容袋を保持する収容袋保持部材に関する。
【背景技術】
【０００２】
従来より、携帯電話などの携帯端末を防水の袋に収容した状態で、お風呂などで使用する人が多数存在することが知られている（特許文献１参照）。
【先行技術文献】
【特許文献】
【０００３】
【特許文献１】特開２０１３−８１１４８号公報
【発明の概要】
【発明が解決しようとする課題】
【０００４】
しかしながら、袋が携帯端末よりも大きいと、袋に収容した携帯端末を操作するときや、持ち運ぶときや、鞄等に収容するときなどにおいて、袋の余り部分が邪魔になるといった問題があった。
【０００５】
そこで、本発明は、袋に収容した携帯端末を操作するときなどにおいて、袋の余り部分が邪魔になるのを抑えることを目的とする。
【課題を解決するための手段】
【０００６】
前記した課題を解決する本発明は、携帯端末が収容された収容袋を保持する収容袋保持部材であって、第１部材と、当該第１部材に対して所定方向にスライド可能に支持される第２部材を備え、前記第１部材は、前記携帯端末を前記収容袋を介して支持する支持面と、前記支持面から前記第１部材の前記第２部材側に回り込んだ前記収容袋の両端部が配置される一対の第１スライド面と、を有し、前記第２部材は、前記一対の第１スライド面に対して前記収容袋の両端部を介してスライド可能で、かつ、前記一対の第１スライド面との間で前記収容袋の両端部を挟み込んで保持する一対の第２スライド面を有することを特徴とする。
【０００７】
この構成によれば、収容袋の余り部分である両端部が、各第１スライド面と各第２スライド面との間で保持されるので、収容袋に収容した携帯端末を操作するときや、持ち運ぶときや、鞄等に収容するときなどにおいて、収容袋の余り部分が邪魔になるのを抑えることができる。
【０００８】
また、前記した構成において、前記第１部材は、前記収容袋に接触して、当該収容袋が前記第１部材に対して滑るのを抑える滑り止め部材を有していてもよい。
【０００９】
これによれば、第２部材を第１部材に取り付けるときに、収容袋が第１部材に対して滑ることで、収容袋が第１部材からずれるのを抑えることができるので、第２部材を第１部材にスムーズに取り付けることができる。
【００１０】
また、前記した構成において、前記第１部材は、前記支持面を有するベース部と、当該ベース部の両端から前記支持面とは反対側において互いに近づくように延びる一対の延出部とを有し、前記一対の延出部は、それぞれ前記ベース部側に前記支持面に対して傾斜した前記第１スライド面を有し、前記第２部材を挟み込んで保持するように構成されていてもよい。
【００１１】
これによれば、第２部材を保持する各延出部が傾斜しているので、例えば厚めの収容袋を使用した場合であっても、各延出部が変形することによって、各延出部によって厚めの収容袋を良好に支持することができる。
【００１２】
また、前記した構成において、前記第１部材は、前記第２部材に前記所定方向において係合する第１係合部を有していてもよい。
【００１３】
これによれば、第１部材と第２部材が所定方向にずれるのを抑えることができる。
【００１４】
また、前記した構成において、前記第２部材は、前記第１部材に前記所定方向において係合する第２係合部を有していてもよい。
【００１５】
これによれば、第１部材と第２部材が所定方向にずれるのを抑えることができる。
【００１６】
また、前記した構成において、前記第２部材は、収容袋保持部材を当該収容袋保持部材とは別の部材に取り付けるための取付部を有していてもよい。
【００１７】
これによれば、収容袋保持部材を別の部材、例えば自転車のハンドルバーや、首から吊り下げて使用するネックストラップ等に取り付けることができるので、様々なシチュエーションで収容袋内の携帯端末を使用することができる。
【００１８】
また、前記した構成において、前記第２部材に設けられ、断面視円弧状に凹む凹部を有する補助部材をさらに備えてもよい。
【００１９】
これによれば、自転車のハンドルバーなどの円筒状の部材の表面に凹部を嵌め込むことで、収容袋保持部材を円筒状の部材に安定して取り付けることができる。
【発明の効果】
【００２０】
本発明によれば、収容袋に収容した携帯端末を操作するときなどにおいて、収容袋の余り部分が邪魔になるのを抑えることができる。
【図面の簡単な説明】
【００２１】
【図１】本発明の一実施形態に係る収容袋保持部材を示す斜視図である。
【図２】収容袋保持部材を分解して示す分解斜視図である。
【図３】第１部材に輪ゴムを取り付けた状態を示す斜視図である。
【図４】収容袋保持部材を、図２に示すＩ−Ｉ線で切った断面図（ａ）と、図２に示すII−II線で切った断面図（ｂ）である。
【図５】収容袋保持部材を図３に示すIII−III線で切った断面図である。
【発明を実施するための形態】
【００２２】
以下、図面を参照しながら、本発明の一実施形態について説明する。
図１に示すように、収容袋保持部材１は、携帯端末の一例としての携帯電話２が収容された収容袋３を保持する部材であり、自転車ＢのハンドルバーＢ１などに取付可能となっている。なお、収容袋３としては、外部から携帯電話２の画面を視認可能な程度に透明な袋を用いるのが好ましく、より好ましくは、袋内への水の浸入を抑える防水性の袋（例えば、図２に示すような、互いに嵌合することで袋の開口を封止する封止部材３１を備えた収容袋３）を用いるのが好ましい。さらに好ましくは、袋の上から内部の携帯電話２を操作できる程度に薄い収容袋３を用いるのが好ましい。
【００２３】
図２に示すように、収容袋保持部材１は、第１部材４と、当該第１部材４に対して所定方向にスライド可能に支持される第２部材５と、第２部材５を自転車ＢのハンドルバーＢ１に取り付けるための取付部の一例としての補助部材６および取付用バンド７と、第１部材４に取り付けられる滑り止め部材の一例としての輪ゴム８とを備えている。なお、第１部材４、第２部材５および補助部材６の材料は、どのような材料であってもよいが、例えば樹脂とすることができる。
【００２４】
第１部材４は、所定方向に延びる長尺な板状の第１ベース部４１と、第１ベース部４１の短手方向の両端から互いに近づくように延びる延出部の一例としての一対の第１延出部４２とを有している。第１ベース部４１は、携帯電話２を収容袋３を介して支持する支持面４１ａを有し、その長手方向中央部の短手方向両側には、輪ゴム８を取り付けるための一対の第１ゴム係合部４１ｂを備えている。
【００２５】
第１ゴム係合部４１ｂは、短手方向内側に向かうにつれて徐々に幅広となる平面視略台形状に形成されており、その周囲には、輪ゴム８を第１ベース部４１の内側から外側に通すための取付用開口部４１ｃが形成されている。
【００２６】
第１ベース部４１の長手方向の一端部には、第２部材５に長手方向において係合する第１係合部４１ｄが形成されている。第１係合部４１ｄは、支持面４１ａの面直方向に撓み変形可能な基部４１ｅと、基部４１ｅの先端から第２部材５に向けて突出する係合突起４１ｆ（図４（ａ）参照）とを有している。
【００２７】
各第１延出部４２は、第２部材５を短手方向に挟み込んで保持する部位であり、第１ベース部４１に対して支持面４１ａとは反対側に配置され、支持面４１ａの面直方向から見て第１ベース部４１に重なっている。各第１延出部４２の内側（第１ベース部４１側）の面は、支持面４１ａに対して傾斜した第１スライド面４２ａとなっている。各第１スライド面４２ａには、支持面４１ａから第１ベース部４１の裏側（第２部材５側）に回り込んだ収容袋３の両端部が配置されるようになっている。
【００２８】
また、図４（ａ）に示すように、各第１延出部４２の先端部には、輪ゴム８を取り付けるための一対の第２ゴム係合部４２ｂがそれぞれ形成されている。各一対の第２ゴム係合部４２ｂは、第１延出部４２の先端面から凹む凹部として形成されており、凹部の底が互いに近づくように、第１延出部４２の短手方向に対して斜めに形成されている。
【００２９】
図３に示すように、輪ゴム８は、各第１ゴム係合部４１ｂおよび各一対の第２ゴム係合部４２ｂに係合することで、第１部材４に取り付けられている。詳しくは、輪ゴム８は、一方側にある取付用開口部４１ｃから外側（図の上側）に出された後、第１ゴム係合部４１ｂに外側から巻き掛けられ、その後、一方側にある一対の第２ゴム係合部４２ｂ内に嵌め込まれる。続いて、輪ゴム８は、第１部材４の外側を通って第１部材４の一方側から他方側に回し込まれ、他方側にある一対の第２ゴム係合部４２ｂ内に嵌め込まれる。その後、輪ゴム８は、他方側にある取付用開口部４１ｃから外側に出され、他方側の第１ゴム係合部４１ｂに外側から巻き掛けられる。
【００３０】
このように輪ゴム８を第１部材４に取り付けることで、輪ゴム８の一部が各第１スライド面４２ａ上に配置され、他部が第１部材４の外面上、詳しくは、支持面４１ａ上と各第１延出部４２の外面４２ｃ上に配置されている。言い換えると、輪ゴム８は、第１スライド面４２ａ上において第１ゴム係合部４１ｂの根元と第２ゴム係合部４２ｂの底とを繋ぐライン上に配置される部分と、支持面４１ａの第１ゴム係合部４１ｂの根元部分において長手方向に沿って配置される部分と、短手方向の一方側の第２ゴム係合部４２ｂから他方側の第２ゴム係合部４２ｂまで、短手方向に沿って配置される部分とを有している。
【００３１】
このように輪ゴム８が第１部材４の各面４１ａ，４２ａ，４２ｃ上に配置されることで、輪ゴム８の各部分が、支持面４１ａから第１ベース部４１の裏側に回り込むように配置される収容袋３に接触するので、第１部材４に第２部材５をスライドさせながら取り付ける際に、収容袋３が第１部材４に対して滑ることが抑えられている。
【００３２】
図２に示すように、第２部材５は、第１部材４の長手方向に延びる長尺な板状の第２ベース部５１と、第２ベース部５１の短手方向の両端から互いに離れるように延びる一対の第２延出部５２と、第２ベース部５１の長手方向の一端から第１部材４側に延びる第２係合部５３とを有している。
【００３３】
第２ベース部５１は、長手方向において第１ベース部４１よりも大きく形成され、その他端部（第２係合部５３とは反対側の端部）には、取付部の一例としての取付孔５１ａが形成されている。この取付孔５１ａには、例えば図示せぬネックストラップなどの紐を取り付けることが可能であり、これにより、ユーザは、補助部材６や取付用バンド７を用いることなく、収容袋保持部材１をネックストラップを介して首から吊り下げることが可能となっている。
【００３４】
第２ベース部５１の中央部には、補助部材６を短手方向に沿って取り付けるための一対の第１係合孔５１ｂと、補助部材６を長手方向に沿って取り付けるための一対の第２係合孔５１ｃとが形成されている。一対の第１係合孔５１ｂおよび一対の第２係合孔５１ｃは、取付部の一例であり、それぞれ補助部材６の一対の係合爪６１が係合可能となるスリット状に形成され、互いに間隔（一対の係合爪６１の間隔と同じ間隔）を空けて配置されている。
【００３５】
補助部材６は、その上面に前述した各第１係合孔５１ｂまたは各第２係合孔５１ｃに係合する一対の係合爪６１を有し、その下面に、断面視円弧状に凹む凹部６２を有している。凹部６２は、自転車ＢのハンドルバーＢ１の外周面に合致する凹面を有しており、ハンドルバーＢ１の軸線方向に沿って延びるように形成されている。一対の係合爪６１は、凹部６２が延びる方向において間隔を空けて並ぶように設けられている。
【００３６】
なお、補助部材６は、ハンドルバーＢ１に対して滑りにくくなるように構成するのが望ましい。例えば、補助部材６をゴムなどの摩擦抵抗の大きな材料で形成したり、補助部材６の凹部６２の凹面を粗面加工するのが好ましい。
【００３７】
取付用バンド７は、両端部に面ファスナー７１を構成するフック部７１Ａおよびループ部７１Ｂが設けられている。取付用バンド７は、中央部が補助部材６の上面（一対の係合爪６１の間）に配置された状態で、補助部材６およびハンドルバーＢ１をまとめて縛るようにこれらに巻かれた後、フック部７１Ａがループ部７１Ｂに係合されることで、補助部材６をハンドルバーＢ１に固定している。
【００３８】
なお、本実施形態では、取付用バンド７を補助部材６の上面に配置するが、本発明はこれに限定されず、例えば、取付用バンド７を一対の第２係合孔５１ｃに通して第２部材５の内面（上面）に配置してもよい。この場合には、取付用バンド７によって、第２部材５、補助部材６およびハンドルバーＢ１をまとめて縛って固定することができる。
【００３９】
各第２延出部５２は、第２ベース部５１の短手方向の両端から第１部材４側に向けて互いに離れるように傾斜して延びており、その外側の面が、各第１スライド面４２ａに対して略平行となる第２スライド面５２ａとなっている。各第２スライド面５２ａは、各第１スライド面４２ａに対して収容袋３の両端部を介してスライド可能な面であり、各第１スライド面４２ａとの間で収容袋３の両端部を挟み込んで保持している。
【００４０】
図５に示すように、各第２延出部５２は、各第１延出部４２よりも短手方向において小さく形成され、その先端部が各第１延出部４２の根元付近に配置されている。これにより、各第２延出部５２の先端部と第１ベース部４１との間でも収容袋３の両端部が挟み込まれて保持されている。
【００４１】
図２に示すように、第２係合部５３は、第１部材４に長手方向において係合する部位であり、第１部材４の第１係合部４１ｄに係合する第１ストッパ部５３ａと、第１ストッパ部５３ａの短手方向両側に設けられる一対の第２ストッパ部５３ｂとを有している。第１ストッパ部５３ａは、第２ストッパ部５３ｂよりも内側に配置されている。
【００４２】
図４（ａ）に示すように、第１ストッパ部５３ａは、その先端と第１ベース部４１との間に間隔が空くように、第２ベース部５１から僅かに突出している。一方、第１係合部４１ｄの係合突起４１ｆの高さは、その先端と第２ベース部５１との間に図示上下方向において間隔が空きつつ、第１ストッパ部５３ａにスライド方向に係合可能な高さとなっている。また、係合突起４１ｆの一端側（図示右側）の面は、一端側から他端側に向かうにつれて第２部材５側に傾斜する傾斜面となっている。
【００４３】
これにより、第２部材５を第１部材４に対して図示右側から図示左側に向けてスライドさせていく際において、第１ストッパ部５３ａが係合突起４１ｆの傾斜面を押すことで、係合突起４１ｆが図示上方に押し上げられて第１係合部４１ｄの基部４１ｅが上方に撓む。その後、係合突起４１ｆが第１ストッパ部５３ａを乗り越えると、基部４１ｅが元の形状に復帰することで、係合突起４１ｆが図示下方に下がって第１ストッパ部５３ａの図示右側に係合する。そして、このように係合突起４１ｆが第１ストッパ部５３ａに係合することで、第２部材５が第１部材４に対して図示右側に移動することが係合突起４１ｆによって規制される。なお、係合突起４１ｆが第１ストッパ部５３ａに係合した際には、第１係合部４１ｄの先端面（図示右側の端面）と、各第２ストッパ部５３ｂの外面とが略面一となっている。
【００４４】
図４（ｂ）に示すように、各第２ストッパ部５３ｂは、第１部材４の支持面４１ａよりも外側に突出しており、第１部材４の一端部に図示右側から係合するようになっている。これにより、第２部材５が第１部材４に対して図示左側に移動することが規制されるとともに、支持面４１ａから突出した各第２ストッパ部５３ｂによって携帯電話２が図示右側に移動することが規制される。
【００４５】
次に、収容袋保持部材１の使用方法の一例について説明する。
図３に示すように、輪ゴム８を、上述したようにして第１部材４に取り付ける。一方、図２に示すように、収容袋３の両端部が余るように、携帯電話２を収容袋３の中央部に配置して収容袋３内に収容する。
【００４６】
その後、携帯電話２の背面が第１部材４の支持面４１ａに対面するように、携帯電話２を支持面４１ａ上にセットし、収容袋３の余った両端部を各第１延出部４２側から第１ベース部４１の裏側に回し込む。次に、第２部材５の図示左側の端部を第１部材４の図示右側の端部から差し込んでいき、第１部材４に対してスライドさせていく。
【００４７】
この際、収容袋３が輪ゴム８と接触しているので、収容袋３が第１部材４からずれることなく、第２部材５が収容袋３に対して滑りながらスムーズに移動していく。その後、第２部材５の第２係合部５３を第１部材４の端部および第１係合部４１ｄに係合させることで、第１部材４と第２部材５が長手方向において固定される。この状態において、収容袋３の両端部は、第１部材４の各第１スライド面４２ａと第２部材５の各第２スライド面５２ａとの間で挟み込まれて保持される。
【００４８】
一方、補助部材６は、自転車ＢのハンドルバーＢ１に取付用バンド７によって固定しておく。その後、収容袋３、輪ゴム８付きの第１部材４および第２部材５が一体に組み付けられたユニットを、補助部材６に取り付けることで、収容袋保持部材１の組立が完了するとともにハンドルバーＢ１への取付も完了する。なお、この際、携帯電話２を縦向きで使いたい場合には、補助部材６の各係合爪６１を第２部材５の各第１係合孔５１ｂに係合させ、携帯電話２を横向きで使いたい場合には、各係合爪６１を各第２係合孔５１ｃに係合させればよい。
【００４９】
これにより、運転者が、自転車Ｂに乗りながら、携帯電話２を収容袋３越しに操作・視聴することができる。また、自転車Ｂに乗って目的地に到着した場合には、運転者は、補助部材６から前述したユニットを取り外し、ユニットごと鞄等に収容したり、持ち運んだりすることができる。
【００５０】
以上によれば、本実施形態において、次の各効果を奏することができる。
【００５１】
収容袋３の余り部分である両端部が、各第１スライド面４２ａと各第２スライド面５２ａとの間で保持されるので、収容袋３に収容した携帯電話２を操作するときや、持ち運ぶときや、鞄等に収容するときなどにおいて、収容袋３の余り部分が邪魔になるのを抑えることができる。
【００５２】
収容袋３が輪ゴム８と接触することで、収容袋３が第１部材４に対して滑ることを抑えることができるので、第２部材５を第１部材４にスムーズに取り付けることができる。
【００５３】
第２部材５を保持する各第１延出部４２が傾斜しているので、例えば厚めの収容袋３を使用した場合であっても、各第１延出部４２が変形することによって、各第１延出部４２によって厚めの収容袋３を良好に支持することができる。
【００５４】
第２部材５の第２係合部５３が第１部材４の端部および第１係合部４１ｄに対してスライド方向の両側から係合するので、第１部材４と第２部材５とがスライド方向にずれるのを抑えることができる。
【００５５】
第２部材５が、収容袋保持部材１を当該収容袋保持部材１とは別の部材（ハンドルバーＢ１または図示せぬネックストラップ）に取り付けるための取付部（各係合孔５１ｂ，５１ｃ、補助部材６、取付用バンド７および取付孔５１ａ）を有しているので、様々なシチュエーションで収容袋３内の携帯電話２を使用することができる。
【００５６】
収容袋保持部材１が、断面視円弧状に凹む凹部６２を有する補助部材６を有するので、円筒状のハンドルバーＢ１の表面に凹部６２を嵌め込むことで、収容袋保持部材１を円筒状のハンドルバーＢ１に安定して取り付けることができる。
【００５７】
図４（ａ）に示すように、第１係合部４１ｄの係合突起４１ｆの先端と第２ベース部５１との間に間隔が空いているので、第２部材５を第１部材４にスライドさせていく際に、係合突起４１ｆが第２ベース部５１に形成された各孔５１ａ，５１ｃに引っ掛からず、第２部材５をスムーズに移動させることができる。
【００５８】
以上に本発明の実施形態について説明したが、本発明は、以下の他の形態に示すように、適宜変形して実施することが可能である。
【００５９】
前記実施形態では、携帯端末として携帯電話２を例示したが、本発明はこれに限定されず、携帯端末は、例えばタブレット端末や携帯型デジタル音楽プレイヤー（イヤホンに無線で音楽情報を送信可能な端末）などであってもよい。
【００６０】
第１部材と第２部材のスライド構造は、前記実施形態に限定されず、例えば第１部材に設けた一対のコ字状の部分に第２部材をスライド可能に支持させてもよい。
【００６１】
前記実施形態では、滑り止め部材として、輪ゴム８を例示したが、本発明はこれに限定されず、滑り止め部材は、例えばシート状のゴムなどであってもよい。また、滑り止め部材は、第１部材に一体に形成されていてもよく、例えば、滑り止め部材は、第１部材の一部を粗面加工して収容袋に対して滑りにくくした部分であってもよい。また、第１係合部および第２係合部の形状も前記実施形態には限定されず、例えば凸部に係合する凹部を第１係合部または第２係合部としてもよい。
【００６２】
前記実施形態では、携帯電話２を保持した収容袋保持部材１を自転車ＢのハンドルバーＢ１に取り付けた例を説明したが、本発明はこれに限定されず、例えばペットボトルに携帯端末を保持した収容袋保持部材を取り付けてもよい。この場合、ペットボトルを自動車のドリンクホルダに差し込むことで、運転者などが携帯端末を例えばカーナビゲーション代わりに使用することができる。また、これに限らず、どのようなものに収容袋保持部材１を取り付けもよい。
【符号の説明】
【００６３】
１      収容袋保持部材
２      携帯電話
３      収容袋
４      第１部材
５      第２部材
４１ａ  支持面
４２ａ  第１スライド面
５２ａ  第２スライド面
【図１】
2016077394.tif 000003
【図２】
2016077394.tif 000004
【図３】
2016077394.tif 000005
【図４】
2016077394.tif 000006
【図５】
2016077394.tif 000007